(57)【要約】【課題】縦配置された印刷装置の姿勢を補正する。【解決手段】横配置において、配置面に対して所定の傾き角度αに形成される天面であるとともに、情報が印刷され用紙切断装置２０により切断された単票Ｒ状態の記録用紙を排出する紙排出口３０を有する第１外面Ｐ１を備える印刷装置１００を、縦配置に配置したとき、前記印刷装置１００の姿勢を補正する印刷装置１００の姿勢補正具４０であって、前記印刷装置１００の前記第１外面Ｐ１以外の複数の外面のいずれか１つに固定される固定面４１と、前記印刷装置１００が配置される前記配置面Ｔ１に向かい合う据付面４３と、を備え、前記固定面４１と前記据付面４３とは前記傾き角度αと同等もしくはそれ以上の角度α´を有するように形成されている。【選択図】図５
2011116044.tif 000002
【特許請求の範囲】
【請求項１】
横配置において、配置面に対して所定の傾き角度に形成される天面であるとともに、情報が印刷され用紙切断装置により切断された単票状態の記録用紙を排出する紙排出口を有する第１外面を備える印刷装置を、縦配置に配置したとき、前記印刷装置の姿勢を補正する印刷装置の姿勢補正具であって、
前記印刷装置の前記第１外面以外の複数の外面のいずれか１つに固定される固定面と、
前記印刷装置が配置される前記配置面に向かい合う据付面と、を備え、
前記固定面と前記据付面とは前記傾き角度と同等もしくはそれ以上の角度を有するように形成されていることを特徴とする印刷装置の姿勢補正具。
【請求項２】
前記印刷装置は、略直方体である筐体を備え、
前記筐体は、前記傾き角度の傾斜面を有する前記第１外面を前記天面とするとき、底面となる第２外面と、前記第２外面から前記第１外面の前記傾斜面の上端側に向かって立ち上がる第３外面と、前記第２外面から前記第１外面の前記傾斜面の下端側に向かって立ち上がる第４外面と、を有し、
前記第２外面、前記第３外面および前記第４外面のいずれか１つの面に前記固定面が固定されることを特徴とする請求項１に記載の印刷装置の姿勢補正具。
【請求項３】
前記配置面は、略水平であり面上に前記印刷装置が配置される第１配置面を含み、
前記第１配置面に前記印刷装置が縦置きされるとき、前記固定面は、前記印刷装置の前記第３外面に固定され、前記据付面は、前記第１配置面に載置されることを特徴とする請求項１または２に記載の印刷装置の姿勢補正具。
【請求項４】
前記据付面には、平板状の弾性部材が貼付されていることを特徴とする請求項３に記載の印刷装置の姿勢補正具。
【請求項５】
前記配置面は、前記印刷装置が配置される略垂直な第２配置面を含み、
前記第２配置面に対して前記印刷装置が壁掛け状態で縦配置されるとき、前記固定面は、前記印刷装置の前記第２外面に固定され、前記据付面は、前記第２配置面に係止されることを特徴とする請求項１または２に記載の印刷装置の姿勢補正具。
【請求項６】
前記第２配置面には取り付け用の引掛部材が設けられ、前記据付面には、前記引掛部材が係合する穴部が設けられていることを特徴とする請求項５に記載の印刷装置の姿勢補正具。
【請求項７】
前記配置面は、略水平であり下面に前記印刷装置が吊り下げられる第３配置面を含み、
前記第３配置面に対して前記印刷装置が縦配置状態で吊り下げられるとき、前記固定面は、前記印刷装置の前記第４外面に固定され、前記据付面は、前記第３配置面に係止されることを特徴とする請求項１または２に記載の印刷装置の姿勢補正具。
【請求項８】
前記第３配置面には取り付け用の引掛部材が設けられ、前記据付面には、前記引掛部材が係合する穴部が設けられていることを特徴とする請求項７に記載の印刷装置の姿勢補正具。
【請求項９】
用紙に情報を印刷する印刷部と、
前記情報が印刷された前記用紙を切断する用紙切断装置と、
前記用紙切断装置で切断された単票状態の前記用紙を排出する紙排出口と、
前記紙排出口が設けられるとともに所定の傾き角度に形成される第１外面を有する略直方体の筐体と、
前記筐体の前記第１外面以外の外面のいずれか１つの面に固定される請求項１乃至８のいずれか一項に記載の姿勢補正具と、を備えることを特徴とする印刷装置。
【発明の詳細な説明】
【技術分野】
【０００１】
本発明は、印刷装置の設置姿勢を補正する印刷装置の姿勢補正具、およびそれを用いた印刷装置に関する。
【背景技術】
【０００２】
販売、物流、商流等の業界においては、情報を処理する各種システム（ＰＯＳシステム等）が用いられている。このようなシステムにおいて、情報を記録して発行するために印刷装置としてのプリンターが用いられる。この種のプリンターとして、ロール状の用紙に情報を印刷し用紙切断装置で切断して単票として発行するものが知られている。また、設置状況や使用状況に応じて設置する態様を横置き（横配置）または縦置き（縦配置）に選択可能なものが知られている（例えば、特許文献１参照）。
【先行技術文献】
【特許文献】
【０００３】
【特許文献１】特開２００１−１７１８６６号公報
【発明の概要】
【発明が解決しようとする課題】
【０００４】
上述のプリンターにおいて、基本姿勢として横置きを選択する場合は、単票の排出口を天面側に設けることが多い。この場合、単票に対する印刷状況の視認性を考慮して、天面をオペレーター方向に前下がりの傾斜構造にすることが一般的である。このようなプリンターを縦置きとして使用する場合、単票の排出口は、鉛直方向に対して傾斜角度だけ奥側に引き込んだ位置に配置される。そのため、単票が紙排出口に引っ掛かりうまく排出されない虞がある。特に、単票に印刷される情報が少なく発行される単票の長さが短い場合や水分が多い環境で使用する場合は、この傾向が顕著である。
【課題を解決するための手段】
【０００５】
本発明は、上述の課題の少なくとも一部を解決するためになされたものであり、以下の形態または適用例として実現することが可能である。
【０００６】
（適用例１）横配置において、配置面に対して所定の傾き角度に形成される天面であるとともに、情報が印刷され用紙切断装置により切断された単票状態の記録用紙を排出する紙排出口を有する第１外面を備える印刷装置を、縦配置に配置したとき、前記印刷装置の姿勢を補正する印刷装置の姿勢補正具であって、前記印刷装置の前記第１外面以外の複数の外面のいずれか１つに固定される固定面と、前記印刷装置が配置される前記配置面に向かい合う据付面と、を備え、前記固定面と前記据付面とは前記傾き角度と同等もしくはそれ以上の角度を有するように形成されていることを特徴とする印刷装置の姿勢補正具。
【０００７】
この構成によれば、縦配置される印刷装置は、姿勢補正具を介して配置面に配置される。このとき、姿勢補正具は、第１外面の傾き角度と同等もしくはそれ以上の角度を有している。そのため、縦配置された印刷装置は姿勢が補正され、印刷装置の第１外面は鉛直もしくは突出した状態になる。その結果、第１外面に設けられた紙排出口から単票を排出しやすくなる。すなわち、印刷装置の紙排出性能を向上させることができる。
【０００８】
（適用例２）前記印刷装置は、略直方体である筐体を備え、前記筐体は、前記傾き角度の傾斜面を有する前記第１外面を前記天面とするとき、底面となる第２外面と、前記第２外面から前記第１外面の前記傾斜面の上端側に向かって立ち上がる第３外面と、前記第２外面から前記第１外面の前記傾斜面の下端側に向かって立ち上がる第４外面と、を有し、前記第２外面、前記第３外面および前記第４外面のいずれか１つの面に前記固定面が固定されることを特徴とする上記の印刷装置の姿勢補正具。
【０００９】
（適用例３）前記配置面は、略水平であり面上に前記印刷装置が配置される第１配置面を含み、前記第１配置面に前記印刷装置が縦置きされるとき、前記固定面は、前記印刷装置の前記第３外面に固定され、前記据付面は、前記第１配置面に載置されることを特徴とする上記の印刷装置の姿勢補正具。
【００１０】
これらの構成によれば、印刷装置は、横置き状態においての後面（第３外面）に姿勢補正具の固定面が固定され、姿勢補正具の据付面が水平面（第１配置面）に載置され縦置きされる。縦置きにされた印刷装置は、第３外面と第１配置面の間に介在する姿勢補正具によって縦置きの姿勢が補正される。姿勢補正具は、第１外面の傾き角度と同等もしくはそれ以上の角度を有している。そのため、縦置きされた印刷装置は、紙排出口が設けられた第１外面を鉛直もしくは突出した状態にすることができる。その結果、紙排出口から単票を排出しやすくすることができる。
【００１１】
（適用例４）前記据付面には、平板状の弾性部材が貼付されていることを特徴とする上記の印刷装置の姿勢補正具。
【００１２】
この構成によれば、姿勢補正具は、第１配置面との接触面である据付面に滑り止めとしての、例えばゴム足を有している。そのため、縦置きされた印刷装置の設置状態を安定させることができる。
【００１３】
（適用例５）前記配置面は、前記印刷装置が配置される略垂直な第２配置面を含み、前記第２配置面に対して前記印刷装置が壁掛け状態で縦配置されるとき、前記固定面は、前記印刷装置の前記第２外面に固定され、前記据付面は、前記第２配置面に係止されることを特徴とする上記の印刷装置の姿勢補正具。
【００１４】
この構成によれば、印刷装置は、横置き状態においての底面（第２外面）に姿勢補正具の固定面が固定され、姿勢補正具の据付面が略垂直な壁面（第２配置面）に係止され壁掛け状態で縦配置される。壁掛けされた印刷装置は、第２外面と第２配置面の間に介在する姿勢補正具によって姿勢が補正される。姿勢補正具は、第１外面の傾き角度と同等もしくはそれ以上の角度を有している。そのため、壁掛けされた印刷装置は、紙排出口が設けられた第１外面を鉛直もしくは突出した状態にすることができる。その結果、紙排出口から単票を排出しやすくすることができる。
【００１５】
（適用例６）前記第２配置面には取り付け用の引掛部材が設けられ、前記据付面には、前記引掛部材が係合する穴部が設けられていることを特徴とする上記の印刷装置の姿勢補正具。
【００１６】
この構成によれば、印刷装置は、壁面である第２配置面に壁掛け状態で取り付けられる。
【００１７】
（適用例７）前記配置面は、略水平であり下面に前記印刷装置が吊り下げられる第３配置面を含み、前記第３配置面に対して前記印刷装置が縦配置状態で吊り下げられるとき、前記固定面は、前記印刷装置の前記第４外面に固定され、前記据付面は、前記第３配置面に係止されることを特徴とする上記の印刷装置の姿勢補正具。
【００１８】
この構成によれば、印刷装置は、横置き状態においての前面（第４外面）に姿勢補正具の固定面が固定され、姿勢補正具の据付面が略水平な天井面（第３配置面）に係止され天吊り状態で縦配置される。天吊りされた印刷装置は、第４外面と第３配置面の間に介在する姿勢補正具によって姿勢が補正される。姿勢補正具は、第１外面の傾き角度と同等もしくはそれ以上の角度を有している。そのため、天吊りされた印刷装置は、紙排出口が設けられた第１外面を鉛直もしくは突出した状態にすることができる。その結果、紙排出口から単票を排出しやすくすることができる。
【００１９】
（適用例８）前記第３配置面には取り付け用の引掛部材が設けられ、前記据付面には、前記引掛部材が係合する穴部が設けられていることを特徴とする上記の印刷装置の姿勢補正具。
【００２０】
この構成によれば、印刷装置は、天井面である第３配置面に天吊り状態で取り付けられる。
【００２１】
（適用例９）用紙に情報を印刷する印刷部と、前記情報が印刷された前記用紙を切断する用紙切断装置と、前記用紙切断装置で切断された単票状態の前記用紙を排出する紙排出口と、前記紙排出口が設けられるとともに所定の傾き角度に形成される第１外面を有する略直方体の筐体と、前記筐体の前記第１外面以外の外面のいずれか１つの面に固定される上記の姿勢補正具と、を備えることを特徴とする印刷装置。
【００２２】
この構成によれば、印刷装置は、所定の外面に固定された姿勢補正具によって、縦置き、壁掛けおよび天吊り等の縦配置状態に設置することができる。そのため、設置スペースの効率化が図れるとともに、使い勝手の自由度を増すことができる。また、姿勢補正具の固定面と据付面とは、第１外面の傾き角度と同等もしくはそれ以上の角度を有している。そのため、縦配置状態に設置された印刷装置は、いずれの状態でも紙排出口が設けられた第１外面を鉛直もしくは突出した状態にすることができる。その結果、紙排出口から単票を排出しやすくすることができる。
【図面の簡単な説明】
【００２３】
【図１】サーマルプリンターの横配置における外観構成を示す斜視図。
【図２】サーマルプリンターの横配置における概略側断面図。
【図３】サーマルヘッドの外観斜視図。
【図４】姿勢補正具を説明する図。
【図５】第１実施例としての縦置きを説明する図。
【図６】第２実施例としての壁掛けを説明する図。
【図７】第３実施例としての天吊り状態を説明する図。
【発明を実施するための形態】
【００２４】
以下、本実施形態を、図面を参照して説明する。なお、以下の説明で参照する図面では、説明および図示の便宜上、部材ないし部分の縦横の縮尺を実際のものとは異なるように表す場合がある。
【００２５】
（印刷装置の全体構成について）
本実施形態の印刷装置として、サーマルプリンターを例にとり図１および図２を参照して説明する。図１は、サーマルプリンターの横配置における外観構成を示す斜視図である。図２は、サーマルプリンターの横配置における側断面図である。
【００２６】
このサーマルプリンターは、例えば、ＰＯＳシステムに適用され、レシート、クーポン、チケット等を印刷して単票として発行（発券）する。サーマルプリンターは、記録用紙としてロール状の感熱紙を収容して、この感熱紙に所定の情報を印刷して用紙切断装置としてのカッター部で記録用紙を所定の長さに切断して発行する。なお、このサーマルプリンターは、図１および図２に示す横配置（横置き）を基本姿勢とし、設置状況や使用目的に応じて縦配置に選択可能なものである。例えば、スペース効率向上、水分や液体を扱う厨房内での使用その他を目的に、縦置き、壁掛け、天吊り等の縦配置で使用することも可能である。
【００２７】
以下、本実施形態のサーマルプリンターの基本姿勢である横置きの場合を例にとり説明する。なお、図１および図２に示すＸ方向は、印刷される感熱紙の幅方向を示し、Ｚ方向は、印刷ヘッドとしてのサーマルヘッド部での感熱紙の紙送り方向を示し、Ｙ方向は、Ｘ方向およびＺ方向と直交する方向を示す。図２に示すように、サーマルプリンター１００は、プリンター機構部１５０と、外装ケース２００と、制御部３００とから構成される。
【００２８】
（外装ケースについて）
ここで、筐体としての外装ケースについて説明する。
図１に示すように、外装ケース２００は、例えば、樹脂材料からなり略直方体形状を呈しており、下ケース２０５と、上ケース２１０と、パネル２１５と、上部カバー２２０とから構成されている。下ケース２０５は、図中Ｚ方向上面が開放された略直方体の箱形状に形成されている。上ケース２１０は、図中Ｚ方向下面が開放された底の浅い箱形状であって、Ｚ方向上側には、Ｙ方向に沿う前後に大小２つの開口部が形成されている。そして、上ケース２１０は、下ケース２０５と開放部同士が対向するように組み合わされる。その結果、Ｙ方向に沿って前側に下ケース２０５の上端まで達する小さな開口部が形成され、Ｙ方向に沿って後ろ側には前記小さな開口部よりはるかに大きな開口部が形成される。
【００２９】
パネル２１５は、同じく樹脂材料からなり断面Ｌ字形状に形成され、上ケース２１０の前側の下ケース２０５上端まで達する小さな開口部に嵌めこまれる。すなわち、パネル２１５は、外装ケース２００の前側上方の稜線部分を構成する。なお、パネル２１５は、図中矢印Ａ方向に引き出すことにより着脱自在となっている。上部カバー２２０は、同じく樹脂材料からなりヒンジ部に相当する支点２２０ａを有する扉状に形成され、上ケース２１０の後ろ側の大きな開口部に支点２２０ａを中心に開閉自在に嵌めこまれる。すなわち、上部カバー２２０は図中矢印Ｃ方向に開閉自在となっている。このようにして外装ケース２００の大枠が構成される。
【００３０】
また、外装ケース２００は、上部カバー２２０の上面のＸ方向の一方の側に、オープンレバー２３０を含む操作部が設けられている。オープンレバー２３０は、図１中矢印Ｂ方向に引き上げられることによって、図２に示すプリンター機構部１５０に設けられたカバーフレーム１２の図示しないロック機構が解除される。さらに、カバーフレーム１２は、上部カバー２２０と結合されている。そのため、上部カバー２２０が支点２２０ａを中心に矢印Ｃ方向に開き、ロール紙ホルダー１６が露出する。このようにすることにより、ロール状の感熱紙Ｓのセットもしくは取り出しができる。
【００３１】
外装ケース２００の図１中上面には、後述するプリンター機構部１５０が外装ケース２００内に収容されたとき、印刷部で印刷され用紙切断装置で所定の長さに切断された単票が発行される紙排出口３０が設けられている。紙排出口３０は、上ケース２１０の上部（架橋部）と上部カバー２２０のＹ方向前方との境界部に設けられ、周囲を上ケース２１０に形成された隆起状の紙ガイド３１ａと上部カバー２２０に形成された隆起状の紙ガイド３１ｂとによって囲まれている。この隆起状の紙ガイド３１ａ，３１ｂは、感熱紙Ｓをガイドする役割と、サーマルプリンター１００が液体を使用する場所で使用されたとき紙排出口３０を介して液体がプリンター機構部１５０に進入するのを防ぐ役割とを有する。
【００３２】
また、図２に示すように、紙排出口３０が形成された外装ケース２００の上面は、パネル２１５側を前方向としたときに、前下がりに傾き角度αで傾斜している。これは、オペレーターがパネル２１５側で操作するとき、紙排出口３０から排出される単票の印刷結果を確認しやすくするためである。また、傾斜面は、サーマルプリンター１００の外装ケース２００の上面に物が置かれることを防止する目的も含む。
【００３３】
下ケース２０５の底面には、各コーナー近傍に略四角形の各辺を構成する隆起部４９が形成されている。この隆起部に囲まれた領域には略四角形の弾性部材、例えば、ゴム材で形成されたゴム足４８が貼付されている。このゴム足は、設置面に横配置で置かれたとき、滑り止めとしての役割を果たす。
【００３４】
（プリンター機構部の全体構成について）
ここで、プリンター機構部の詳細を図２および図３を参照して説明する。図３はサーマルヘッドの外観斜視図である。なお、図３に示すＸ方向およびＺ方向は、図１および図２に示すＸ方向およびＺ方向と同一方向である。なお、本実施例で使用する感熱紙Ｓは、発色剤がバインダー等により保持されている発色層からなる印刷面を有し、この印刷面を外面に順次積層され構成されているロール状の感熱紙Ｓである。以降、このロール状の感熱紙をロール紙Ｒと呼ぶ。
【００３５】
図２に示すように、プリンター機構部１５０は、本体フレーム６０と、カバーフレーム１２と、ロール紙ホルダー１６と、カッター部２０と、印刷部７０と、を備えている。本体フレーム６０は、板金等からなり、Ｚ方向上方およびＹ方向前方に開口を有する略箱型に形成されている。カバーフレーム１２は、本体フレーム６０の上部後方に設けられている。カバーフレーム１２は、本体フレーム６０の後部両側の上端部に設けられた支軸６８を中心として開閉自在に取り付けられている。カバーフレーム１２には、カバーフレーム１２を閉じた際にロール紙Ｒとの接触を避けるための円弧状の覆い１５が設けられている。また、サーマルプリンター１００の設置角度を変える場合、すなわち、例えば縦配置に配置する場合、この覆い１５は、ロール紙Ｒを受ける保持部材としても機能する。
【００３６】
図２に示すように、ロール紙ホルダー１６は、本体フレーム６０の箱状に形成された内部の後方に、上記カバーフレーム１２および覆い１５に覆われるように設けられている。ロール紙ホルダー１６は、樹脂等により形成され、中央部にロール紙Ｒの最大径に相当する略円弧状のくぼみを有し、本体フレーム６０の底部に、円弧状のくぼみの図示しない側面開口が本体フレーム６０の図示しない両側面側に向くように取り付けられている。本体フレーム６０の内側の両側面部分は、ロール紙Ｒの側面ガイド部として機能する。そのため、ロール紙Ｒは、側面を本体フレーム６０の内側の両側面部分に幅方向の動きを規制され、ロール紙ホルダー１６の略円弧状のくぼみに回転自在に保持される。
【００３７】
（カッター部について）
図２に示すように、カッター部２０は、本体フレーム６０の前方すなわちカバーフレーム１２の支軸６８とは相対する位置であって紙排出口３０の近傍に設けられている。カッター部２０は、可動刃２１とその駆動手段２２と固定刃２７とを備えている。可動刃２１とその駆動手段２２とは、第１カッターカバー２４内に収容され本体フレーム６０側に配置されている。可動刃２１は、駆動手段２２により図中矢印Ｅ方向に往復移動する。固定刃２７は、第２カッターカバー２９内に収容されカバーフレーム１２側、すなわち、感熱紙Ｓが通過する搬送経路を挟んで対向する側に配置されている。そのため、カバーフレーム１２を閉じた状態では、駆動手段２２により往復移動される可動刃２１の刃部と固定刃２７の刃部とが当接状態で摺動する。このことによって、感熱紙Ｓは紙排出口３０近傍で切断される。
【００３８】
（印刷部について）
図２に示すように、印刷部７０は、ロール紙ホルダー１６を始点として、カッター部２０の紙排出口３０を終点とする感熱紙Ｓの搬送経路Ｄ上の紙排出口３０近傍に設けられている。印刷部７０は、サーマルヘッド１０とヘッド保持機構７７とプラテン７１とを有している。なお、サーマルヘッド１０とヘッド保持機構７７とは本体フレーム６０側に、プラテン７１はカバーフレーム１２側に分離可能な状態で配設されている。
【００３９】
図３に示すように、サーマルヘッド１０は、放熱板１０６とヘッド支持軸１０２と基板としてのヘッド基板１１０とドライバーＩＣ１２０とＦＰＣ１０８とを有している。ヘッド基板１１０は、長矩形形状を呈しており、複数の発熱素子１４５からなる発熱素子列１４５ａが長手方向に沿って図中Ｚ方向上方に形成されている。また、発熱素子列１４５ａと平行して、発熱素子１４５を駆動する複数のドライバーＩＣ１２０が配設されている。放熱板１０６は、アルミニウム等の引き抜き材で形成され、ヘッド基板１１０が放熱板１０６の係止面１０６ａに両面粘着テープ等で貼り付けられている。
【００４０】
放熱板１０６のヘッド基板１１０のＺ方向上方には、案内斜面部１０４が放熱板１０６の長手方向にわたって形成されている。この案内斜面部１０４は、図２に示すカバーフレーム１２を閉じる際に、プラテン７１を滑動させて所定の位置まで案内する。この際、案内斜面部１０４の傾斜は、プラテン７１がヘッド基板１１０と衝突しないような所定の角度を有している。また、案内斜面部１０４の斜面は、この案内斜面部１０４に近接して付設されたヘッド基板１１０と略同じ高さになるように設定されている。ヘッド支持軸１０２は円柱状の丸ピンであり、放熱板１０６の左右の側面部に設けられた穴部に圧入されている。ＦＰＣ１０８は、一端をヘッド基板１１０に設けられた図示しない接続端子に接続され、他端は図２に示す制御部３００に接続されている。
【００４１】
図２に示すヘッド保持機構７７は、本体フレーム６０に形成された溝部としての切り欠き部６２とヘッド押圧板７２とヘッド押圧板７２に取り付けられるバネ７５とから構成されている。切り欠き部６２は、本体フレーム６０の上方に開口を有するとともに複数の溝部が形成されている。サーマルヘッド１０は、ヘッド支持軸１０２が本体フレーム６０の切り欠き部６２の一部に挿入されることによって、本体フレーム６０に取り付けられる。ヘッド押圧板７２は、上下に曲げ部が形成され、圧縮コイルバネであるバネ７５が固定されている。このヘッド押圧板７２は、切り欠き部６２に挿入され、曲げ部がそれぞれ切り欠き部６２の一部に係合することによって本体フレーム６０に取り付けられる。
【００４２】
このようにすることによって、サーマルヘッド１０とヘッド押圧板７２とは、切り欠き部６２の両側に、互いに略平行状態で支持される。ヘッド押圧板７２に固定されるバネ７５は、サーマルヘッド１０の背面に当接する。このバネ７５によりサーマルヘッド１０はプラテン７１方向に付勢される。このヘッド保持機構７７は、ヘッド押圧板７２に固定されたバネ７５をサーマルヘッド１０の背面からずらすことによって、切り欠き部６２から取り外すことができる。サーマルヘッド１０もバネ７５からの付勢力がなくなることによって、切り欠き部６２から取り外すことができる。このようにして、サーマルヘッド１０は本体フレーム６０に対して、着脱可能に支持される。
【００４３】
図２に示すように、プラテン７１は、ゴム等の弾性部材により円筒形のローラー状に形成され、プラテン軸受７３を介してカバーフレーム１２に回転可能に支持されている。プラテン７１の一方の軸には、図示しないプラテン歯車が圧入されている。本体フレーム６０には、溝部６４が設けられており、カバーフレーム１２を閉じると、プラテン７１が、サーマルヘッド１０の案内斜面部１０４に案内された後、プラテン軸受７３が溝部６４と当接する。さらに、サーマルヘッド１０によるプラテン７１への加圧力で、カバーフレーム１２には下向きの力が作用し、プラテン７１の位置が定められる。
【００４４】
以上の構成により、図２に示すように、プラテン７１は、感熱紙Ｓの内面Ｓ２の側から感熱紙Ｓをサーマルヘッド１０の方向に押圧し、プラテン７１と対向するサーマルヘッド１０は、感熱紙Ｓの外面Ｓ１の側から感熱紙Ｓをプラテン７１の方向に押圧して、感熱紙Ｓを挟持する。なお、このとき感熱紙Ｓの外面Ｓ１の表面に、前述の発色層が形成されている。また、本体フレーム６０の側面には、プラテン７１を回転駆動させるための図示しない紙送りモーターと紙送りモーターの動力を伝達する輪列歯車とが設けられている。上述のように、プラテン７１が本体フレーム６０の溝部６４に位置決めされることによって、プラテン歯車と輪列歯車とが噛み合い、紙送りモーターからの動力をプラテン７１に伝達する。
【００４５】
上述の構成を有するサーマルプリンター１００は、上部カバー２２０と連結するカバーフレーム１２を開き感熱紙Ｓからなるロール紙Ｒをセットして、感熱紙Ｓを紙排出口３０まで引き出し、上部カバー２２０と連結するカバーフレーム１２を閉じることによって、感熱紙Ｓはプラテン７１とサーマルヘッド１０との間、および可動刃２１と固定刃２７との間にセットされる。そして、紙送りモーターを起動しプラテン７１を回転させて感熱紙Ｓを送りながら、サーマルヘッド１０の直線状に配置された発熱素子１４５を選択的に通電して発熱させることによって、感熱紙Ｓに所定の情報を印刷することができる。また、カッター部２０を駆動して固定刃２７に対して可動刃２１を往復移動させることにより、情報が印刷された感熱紙Ｓを所定の長さに切断してレシート等の単票として発行することができる。
なお、これらの動作は、制御部３００によって統括的に制御される。
【００４６】
（姿勢補正具について）
ここで、本実施例の姿勢補正具について図４を参照して説明する。図４は、姿勢補正具を説明する図であり、（ａ）は、姿勢補正具の外観斜視図、（ｂ）は、姿勢補正具の側面図である。
【００４７】
図４（ａ）に示すように、姿勢補正具４０は、例えば金属の板部材を用い板金加工で形成されており、固定面４１と据付面４３と２つの側面４７とを有する。据付面４３は、長方形の平板形状を呈し、長辺方向の両側に丸穴部４４ａと長穴部４４ｂとからなる鍵穴形状の穴部４４が２つ形成されている。また、穴部４４と長辺方向の位置を同じくして、長穴部４４ｂに一部かかる略四角形の凹部４５が形成されている。そして、据付面４３の２つの短辺側に略直角に立ち下がる側面４７が形成されている。２つの側面４７の据付面４３とは逆側の位置に、外方向に延びるように略四角形の固定面４１が形成されている。また、２つの固定面４１には、丸穴である穴部４１ａがそれぞれ１つ形成されている。
【００４８】
図４（ｂ）に示すように、側面４７は略台形形状に形成されている。そのため、固定面４１を基準としたとき、据付面４３は傾き角度α´で側面の短辺方向に傾斜している。なお、この傾き角度α´は、前述の外装ケース２００の上面が前下がりに傾斜している傾き角度αと同等もしくはそれ以上の角度である。なお、本実施例では、姿勢補正具４０が金属の板部材で板金加工によって形成されている場合を例にとり説明したが、これに限定されない。樹脂の成型品であってもよいし、鋳造品であってもよい。
【００４９】
（第１実施例）
ここで、上述のサーマルプリンターを本実施形態の姿勢補正具を用いて縦置きに設置する場合について、図５を参照して説明する。図５は、第１実施例としての縦置きを説明する図であり、（ａ）は、姿勢補正具の取り付け状態をサーマルプリンターの後面（後述する第３外面）から見た図、（ｂ）は、第１配置面に縦置きにされた状態を示す側面図である。図５に示すＸ方向、Ｙ方向、Ｚ方向は、図１および図２に示すＸ方向、Ｙ方向、Ｚ方向とほぼ同一な方向を示す。
【００５０】
なお、以降の説明において、サーマルプリンター１００（外装ケース２００）の各外面を以下のように定義する。図１に示す外装ケース２００において、紙排出口３０を有し傾き角度αで傾斜している上面を第１外面Ｐ１、第１外面Ｐ１と対向する底面を第２外面Ｐ２、パネル２１５が嵌め込まれる前面を第４外面Ｐ４、第４外面Ｐ４を前面としたとき第４外面Ｐ４と対向し後面となる面を第３外面Ｐ３と呼ぶ。また、以降の説明では、第１外面Ｐ１の傾き角度αと、姿勢補正具４０の据付面４３の傾き角度α´がほぼ同等な場合について説明する。
【００５１】
図５（ａ）に示すように、姿勢補正具４０は、サーマルプリンター１００の外装ケース２００の第３外面Ｐ３に取り付けられる。詳しくは、姿勢補正具４０は、据付面４３の長手方向がＸ方向に対応し、据付面４３の傾き角度α´が第１外面Ｐ１側に傾斜するように配置される。なお、姿勢補正具４０は、各固定面の１辺を、下ケース２０５の第３外面Ｐ３側（図中Ｚ方向下側）に設けられたゴム足４８の周囲を囲む隆起部４９に押し付けると容易に位置決めすることができる。そして、固定面４１の穴部４１ａと下ケース２０５の図示しないネジ穴とを合わせネジ４６を用い締結する。また、据付面４３の略四角形の凹部４５には、略四角形のゴム足４８が貼付される。
【００５２】
図５（ｂ）に示すように、姿勢補正具４０が第３外面Ｐ３に取り付けられたサーマルプリンター１００は、第３外面Ｐ３を下方向の面として略水平な面である第１配置面Ｔ１に縦置きされる。このとき、姿勢補正具４０のゴム足４８が貼付された据付面４３が第１配置面Ｔ１に接触する。姿勢補正具４０の固定面４１は、サーマルプリンター１００の第３外面Ｐ３に取り付けられている。固定面４１と据付面４３とは傾き角度α´で傾斜している。そのため、サーマルプリンター１００の縦置き姿勢は、図中矢印Ｍ方向に傾き角度α´分補正される。第１外面Ｐ１の傾き角度αと、姿勢補正具４０の据付面４３の傾き角度α´がほぼ同等であるため、サーマルプリンター１００の紙排出口３０が設けられた第１外面Ｐ１は、第１配置面Ｔ１に対して略直角となる。
【００５３】
その結果、サーマルプリンター１００の図２に示す印刷部７０で印刷されカッター部２０で切断された単票Ｒは、紙排出口３０から容易に排出される。すなわち、縦置き状態であっても、例えば紙排出口３０の紙ガイド３１ｂへの紙の引っ掛かりを防止した紙排出性のよいサーマルプリンター１００を提供することができる。なお、姿勢補正具４０の据付面４３の傾き角度α´を第１外面Ｐ１の傾き角度αより大きくすることによって、紙排出口３０が設けられた第１外面Ｐ１の図中矢印Ｍ方向への傾きをより大きくすることができる。そのため、紙排出性をさらに向上させることができる。すなわち、設置状況や発行される単票の長さ等の使用目的によって、姿勢補正具４０の据付面４３の傾き角度α´は任意に設定できる。
【００５４】
また、発行され紙排出口３０から排出される単票Ｒは、オペレーターが１枚ずつ手受けしてもよいし、紙排出口３０のＹ方向下方に部品としての単票受けを用意して、その単票受けで受けてもよい。また、感熱紙Ｓをカッター部２０で切断するとき一部に切り残しを設け、切り残しによって暫定的につながった連続単票として排出してもよい。
【００５５】
（第２実施例）
次いで、上述のサーマルプリンターを本実施形態の姿勢補正具を用いて壁掛けとして設置する場合について、図６を参照して説明する。図６は、第２実施例としての縦置きを説明する図であり、（ａ）は、姿勢補正具の取り付け状態をサーマルプリンターの第２外面（底面）から見た図、（ｂ）は、第２配置面に設けられた引掛部材を示す図、（ｃ）は、第２配置面に壁掛けされた状態を示す側面図である。図６に示すＸ方向、Ｙ方向、Ｚ方向は、図１および図２に示すＸ方向、Ｙ方向、Ｚ方向とほぼ同一な方向を示す。なお、第１実施例と共通する構造および部品については、番号を共通とし説明を省略す。
【００５６】
図６（ａ）に示すように、姿勢補正具４０は、サーマルプリンター１００の外装ケース２００の第２外面Ｐ２に取り付けられる。詳しくは、姿勢補正具４０は、第２外面Ｐ２の図中Ｙ方向上部（第４外面Ｐ４側）に据付面４３の長手方向がＸ方向に対応し、据付面４３の傾き角度α´が第３外面Ｐ３側に傾斜するように配置される。なお、姿勢補正具４０は、各固定面の１辺を、下ケース２０５の第２外面Ｐ２側（図中Ｙ方向上側）に設けられたゴム足４８の周囲を囲む隆起部４９に押し付けると容易に位置決めすることができる。そして、固定面４１の穴部４１ａと下ケース２０５の図示しないネジ穴とを合わせネジ４６を用い締結する。
【００５７】
図６（ｂ）に示すように、サーマルプリンター１００が壁掛けされる略垂直状態の第２配置面Ｔ２には、サーマルプリンター１００が壁掛けされる位置に引掛部材５１が取り付けられている。引掛部材５１は、丸板状の頭部５１ａと頭部５１ａにつながる円柱軸５１ｂとを有し、円柱軸５１ｂが第２配置面Ｔ２に埋め込まれ頭部５１ａが第２配置面Ｔ２から一定の距離を隔てて配置されている。
【００５８】
姿勢補正具４０が第２外面Ｐ２に取り付けられたサーマルプリンター１００は、第３外面Ｐ３を下方向の面として、第２外面Ｐ２が第２配置面Ｔ２に対向するように壁掛けされる。このとき、サーマルプリンター１００は、上述の引掛部材５１が姿勢補正具４０の据付面４３の穴部４４に挿入され係止される。詳しくは、引掛部材５１の頭部５１ａが据付面４３の丸穴部４４ａに挿入され、その後、サーマルプリンター１００の自重により、引掛部材５１の円柱軸５１ｂが据付面４３の長穴部４４ｂに嵌合され係止される。このとき、固定面４１と据付面４３とは傾き角度α´で傾斜している。そのため、サーマルプリンター１００の壁掛け姿勢は、図中矢印Ｍ方向に傾き角度α´分補正される。第１外面Ｐ１の傾き角度αと、姿勢補正具４０の据付面４３の傾き角度α´がほぼ同等であるため、サーマルプリンター１００の紙排出口３０が設けられた第１外面Ｐ１は、第２配置面Ｔ２に対して略平行、すなわち、地面に対して略鉛直となる。
【００５９】
その結果、サーマルプリンター１００の図２に示す印刷部７０で印刷されカッター部２０で切断された単票Ｒは、紙排出口３０から容易に排出される。すなわち、壁掛け状態であっても、例えば紙排出口３０の紙ガイド３１ｂへの紙の引っ掛かりが低減された紙排出性のよいサーマルプリンター１００を提供することができる。なお、姿勢補正具４０の据付面４３の傾き角度α´を第１外面Ｐ１の傾き角度αより大きくすることによって、紙排出口３０が設けられた第１外面Ｐ１の図中矢印Ｍ方向への傾きをより大きくすることができる。そのため、紙排出性をさらに向上させることができる。すなわち、設置状況や発行される単票の長さ等の使用目的によって、姿勢補正具４０の据付面４３の傾き角度α´は任意に設定できる。
【００６０】
また、発行され紙排出口３０から排出される単票Ｒは、オペレーターが１枚ずつ手受けしてもよいし、紙排出口３０のＹ方向下方に部品としての単票受けを用意してもよい。また、感熱紙Ｓをカッター部２０で切断するとき一部に切り残しを設け、切り残しによって暫定的につながった連続単票として排出してもよい。
【００６１】
（第３実施例）
次いで、上述のサーマルプリンターを本実施形態の姿勢補正具を用いて天吊りとして設置する場合について、図７を参照して説明する。図７は、第３実施例としての天吊り状態を説明する図であり、（ａ）は、姿勢補正具の取り付け状態をサーマルプリンターの第４外面（前面）から見た図、（ｂ）は、第３配置面に設けられた引掛部材を示す図、（ｃ）は、第３配置面に天吊りされた状態を示す側面図である。図７に示すＸ方向、Ｙ方向、Ｚ方向は、図１および図２に示すＸ方向、Ｙ方向、Ｚ方向とほぼ同一な方向を示す。なお、第１実施例および第２実施例と共通する構造および部品については、番号を共通とし説明を省略す。
【００６２】
図７（ａ）に示すように、姿勢補正具４０は、サーマルプリンター１００の外装ケース２００の第４外面Ｐ４に取り付けられる。詳しくは、姿勢補正具４０は、第４外面Ｐ４の第２外面Ｐ２側に据付面４３の長手方向がＸ方向に対応し、据付面４３の傾き角度α´が第２外面Ｐ２側に傾斜するように配置される。そして、固定面４１の穴部４１ａと下ケース２０５の図示しないネジ穴とを合わせネジ４６を用い締結する。
【００６３】
図７（ｂ）に示すように、サーマルプリンター１００が天吊りされる略水平な天井面である第３配置面Ｔ３には、サーマルプリンター１００が天吊りされる位置に引掛部材５１が取り付けられている。引掛部材５１は、丸板状の頭部５１ａと頭部５１ａにつながる円柱軸５１ｂとを有し、円柱軸５１ｂが第３配置面Ｔ３に埋め込まれ頭部５１ａが第３配置面Ｔ３から一定の距離を隔てて配置されている。
【００６４】
姿勢補正具４０が第４外面Ｐ４に取り付けられたサーマルプリンター１００は、第３外面Ｐ３を下方向の面として、第４外面Ｐ４が第３配置面Ｔ３側に対向するように天吊りされる。このとき、サーマルプリンター１００は、上述の引掛部材５１が姿勢補正具４０の据付面４３の穴部４４に挿入され係止される。詳しくは、引掛部材５１の頭部５１ａが据付面４３の丸穴部４４ａに挿入され、その後、サーマルプリンター１００の自重により、引掛部材５１の円柱軸５１ｂが据付面４３の長穴部４４ｂに嵌合され係止される。このとき、固定面４１と据付面４３とは傾き角度α´で傾斜している。そのため、サーマルプリンター１００の天吊り姿勢は、図中矢印Ｍ方向に傾き角度α´分補正される。第１外面Ｐ１の傾き角度αと、姿勢補正具４０の据付面４３の傾き角度α´がほぼ同等であるため、サーマルプリンター１００の紙排出口３０が設けられた第１外面Ｐ１は、第３配置面Ｔ３に対して略垂直、すなわち、地面に対して略鉛直となる。
【００６５】
その結果、サーマルプリンター１００の図２に示す印刷部７０で印刷されカッター部２０で切断された単票Ｒは、紙排出口３０から容易に排出される。すなわち、天吊り状態であっても、例えば紙排出口３０の紙ガイド３１ｂへの紙の引っ掛かりが低減された紙排出性のよいサーマルプリンター１００を提供することができる。なお、姿勢補正具４０の据付面４３の傾き角度α´を第１外面Ｐ１の傾き角度αより大きくすることによって、紙排出口３０が設けられた第１外面Ｐ１の図中矢印Ｍ方向への傾きをより大きくすることができる。そのため、紙排出性をさらに向上させることができる。すなわち、設置状況や発行される単票の長さ等の使用目的によって、姿勢補正具４０の据付面４３の傾き角度α´は任意に設定できる。
【００６６】
また、発行され紙排出口３０から排出される単票Ｒは、オペレーターが１枚ずつ手受けしてもよいし、紙排出口３０のＹ方向下方に部品としての単票受けを用意してもよい。また、感熱紙Ｓをカッター部２０で切断するとき一部に切り残しを設け、切り残しによって暫定的につながった連続単票として排出してもよい。
【符号の説明】
【００６７】
１０…サーマルヘッド、２０…用紙切断装置としてのカッター部、３０…紙排出口、３１ａ，３１ｂ…紙ガイド、４０…姿勢補正具、４１…固定面、４３…据付面、４４…鍵穴形状の穴部、４７…側面、５１…引掛部材、６０…本体フレーム、７０…印刷部、１００…印刷装置としてのサーマルプリンター、１５０…プリンター機構部、２００…外装ケース、２０５…下ケース、２１０…上ケース、２１５…パネル、２２０…上部カバー、２３０…オープンレバー、３００…制御部、Ｐ１…第１外面、Ｐ２…第２外面、Ｐ３…第３外面、Ｐ４…第４外面、Ｓ…感熱紙、Ｔ１…第１配置面、Ｔ２…第２配置面、Ｔ３…第３配置面。
【図１】
2011116044.tif 000003
【図２】
2011116044.tif 000004
【図３】
2011116044.tif 000005
【図４】
2011116044.tif 000006
【図５】
2011116044.tif 000007
【図６】
2011116044.tif 000008
【図７】
2011116044.tif 000009